【手続補正書】
【提出日】平成27年11月6日(2015.11.6)
【手続補正１】
【補正対象書類名】特許請求の範囲
【補正対象項目名】全文
【補正方法】変更
【補正の内容】
【特許請求の範囲】
【請求項１】
クライアントコンピューティングデバイスで、企業資源計画（ＥＲＰ）システムから前記クライアントコンピューティングデバイスに存在する通信アプリケーションを選択する要求を受けるステップと、
前記クライアントコンピューティングデバイスに存在する電子メール（Ｅメール）アプリケーションの選択を前記ＥＲＰシステムに伝えるステップと、
前記ＥＲＰシステムから、選択された存在する前記Ｅメールアプリケーションのためのアドオンアプリケーションを受けるステップと
存在する前記Ｅメールアプリケーションに前記アドオンアプリケーションをインストールするステップと、
前記アドオンアプリケーションを用いて、前記ＥＲＰシステムとのデータ交換が可能となるように、前記ＥＲＰシステムに接続するステップと、
前記アドオンアプリケーションにおいて、前記ＥＲＰシステムからＥＲＰ処理を受けるステップと、
受けた前記ＥＲＰ処理に応答して、前記アドオンアプリケーションから、前記ＥＲＰシステムに第２のＥＲＰ処理を送るステップと
を含む、コンピューターによって実施される方法。
【請求項２】
請求項１に記載の方法であって、ＥＲＰ処理は、
注文を行うことと、
注文を受けることと、
注文を拒否することと、
注文を変更することと、
注文を確認することと、
注文を条件付きで確認することと、
インボイスを受けることと、
インボイスを送ることと、
発送を確認することと、
重要業績評価指標を表示することと、
ベンダー管理在庫を表示することと、
ＥＲＰ処理のステータスを表示することと
のうちの少なくとも１つを含む、方法。
【請求項３】
請求項１に記載の方法であって、
前記アドオンアプリケーションにおいて実行された前記ＥＲＰ処理に例外が生じたとくに、前記アドオンアプリケーションにおいて前記ＥＲＰシステムから通知を受けるステップ
をさらに含む方法。
【請求項４】
請求項１に記載の方法であって、
前記ＥＲＰシステムと通信状態にある供給ハブに接続するステップと、
前記供給ハブにＥＲＰ処理を伝えるステップと
をさらに含む方法。
【請求項５】
請求項４に記載の方法であって、
前記供給ハブを介して前記ＥＲＰシステムからＥＲＰ処理を受けるステップ
をさらに含む方法。
【請求項６】
請求項１に記載の方法であって、
前記ＥＲＰシステムから受けたＥＲＰ処理がビジネスプロセスに適合することを検証するステップと、
前記ＥＲＰ処理が前記ビジネスプロセスに適合しないときに、例外が生じたという通知を生成するステップと、
前記通知を前記ＥＲＰシステムに送るステップと
をさらに含む方法。
【請求項７】
請求項１に記載の方法であって、
存在する前記ＥメールアプリケーションのユーザーインターフェースにおいてＥＲＰデータを表示するステップ
をさらに含む方法。
【請求項８】
命令を含むストレージ媒体であって、前記命令は、クライアントコンピューティングデバイスに、
企業資源計画（ＥＲＰ）システムから、前記クライアントコンピューティングデバイスに存在するＥメールアプリケーションのためのアドオンアプリケーションを受け、前記アドオンアプリケーションを、存在する前記Ｅメールアプリケーションの構成要素として、前記ＥＲＰシステムとの通信が可能となるようにインストールすることと、
前記ＥＲＰシステムとクライアントコンピューティングデバイスの間のデータ交換が、電子データ交換（ＥＤＩ）システムを用いることなく可能となるように、前記ＥＲＰシステムに接続することと、
企業資源計画（ＥＲＰ）処理を供給ハブから前記アドオンアプリケーションにおいて受けることと、
前記アドオンアプリケーションにより、受けた前記ＥＲＰ処理に対して第２のＥＲＰ処理行うことと、
前記第２のＥＲＰ処理を前記供給ハブに送ることと
をさせる、ストレージ媒体。
【請求項９】
請求項８に記載のストレージ媒体であって、前記クライアントコンピューティングデバイスに、
第３のＥＲＰ処理を前記アドオンアプリケーションにおいて実行することと、
前記第３のＥＲＰ処理を前記供給ハブに送ることと
をさせる命令を前記ストレージ媒体はさらに含む、ストレージ媒体。
【請求項１０】
請求項８に記載のストレージ媒体であって、ＥＲＰ処理は、
注文を行うことと、
注文を受けることと、
注文を拒否することと、
注文を変更することと、
注文を確認することと、
注文を条件付きで確認することと、
インボイスを受けることと、
インボイスを送ることと、
発送を確認することと、
重要業績評価指標を表示することと、
ベンダー管理在庫を表示することと、
ＥＲＰ処理のステータスを表示することと
のうちの少なくとも１つを含む、ストレージ媒体。
【請求項１１】
請求項８に記載のストレージ媒体であって、前記クライアントコンピューティングデバイスに、
前記供給ハブから受けたＥＲＰ処理がビジネスプロセスに適合することを検証することと、
前記ＥＲＰ処理が前記ビジネスプロセスに適合しないときに、例外が生じたという通知を生成することと、
前記通知を前記供給ハブに送ることと
をさせる命令を前記ストレージ媒体はさらに含む、ストレージ媒体。
【請求項１２】
請求項８に記載のストレージ媒体であって、前記クライアントコンピューティングデバイスに、
ＥＲＰデータを、存在する前記Ｅメールアプリケーションのユーザーインターフェースにおいて表示すること
をさせる命令を前記ストレージ媒体はさらに含む、ストレージ媒体。
【請求項１３】
請求項８に記載のストレージ媒体であって、前記クライアントコンピューティングデバイスに、
ＥＲＰデータを前記アドオンアプリケーションにおいて修正することと、
前記供給ハブを修正した前記データで更新することと
をさせる命令を前記ストレージ媒体はさらに含む、ストレージ媒体。
【請求項１４】
処理装置と、
前記処理装置上で実行されるように構成されたクライアントＥメールアプリケーションと、
アドオンアプリケーションであって、該アドオンアプリケーションは、企業資源計画（ＥＲＰ）システムから受け、前記クライアントＥメールアプリケーションにインストールされ、
前記ＥＲＰシステムに接続し、
供給ハブを介して前記ＥＲＰシステムからＥＲＰ処理を受け、
前記ＥＲＰ処理に対して第２のＥＲＰ処理を行い、
前記第２のＥＲＰ処理を、前記供給ハブを介して前記ＥＲＰシステムに送る
ように前記処理装置上で動作する、アドオンアプリケーションと
を含む装置。
【請求項１５】
請求項１４に記載の装置であって、前記アドオンアプリケーションは、
前記アドオンアプリケーションにおいて第３のＥＲＰ処理を実行し、
前記第３のＥＲＰ処理を、前記供給ハブを介して前記ＥＲＰシステムに送る
ようにさらに動作する、装置。
【請求項１６】
請求項１４に記載の装置であって、前記アドオンアプリケーションは、
前記供給ハブを介して前記ＥＲＰシステムから受けたＥＲＰ処理がビジネスプロセスに適合することを検証し、
前記ＥＲＰ処理が前記ビジネスプロセスに適合しないときに、例外が生じたという通知を生成し、
前記通知を、前記供給ハブを介して前記ＥＲＰシステムに送る
ようにさらに動作する、装置。
【請求項１７】
請求項１４に記載の装置であって、前記アドオンアプリケーションは、
前記クライアントＥメールアプリケーションのユーザーインターフェースにおいてＥＲＰデータを表示する
ようにさらに動作する、装置。
【請求項１８】
請求項１４に記載の装置であって、前記アドオンアプリケーションは、
ＥＲＰデータを前記アドオンアプリケーションにおいて修正し、
前記供給ハブを修正した前記データで更新する
ようにさらに動作する、装置。
【請求項１９】
請求項１４に記載の装置であって、ＥＲＰ処理は、
注文を行うことと、
注文を受けることと、
注文を拒否することと、
注文を変更することと、
注文を確認することと、
注文を条件付きで確認することと、
インボイスを受けることと、
インボイスを送ることと、
発送を確認することと、
重要業績評価指標を表示することと、
ベンダー管理在庫を表示することと、
ＥＲＰ処理のステータスを表示することと
のうちの少なくとも１つを含む、装置。
【請求項２０】
請求項８から１３のうちの何れか一項に記載の命令を含むプログラム。